(57)【要約】  本発明は、ダウンリンクコントロール情報の発送・検知方法及び装置に関し、当該方法は、基地局は複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があることと、基地局は前記使用可能な発送リソースで前記複数種類の長時間効果ありのダウンリンクコントロール情報を発送することとを含む。【選択図】図１
2020535766.tif 000002
【特許請求の範囲】
【請求項１】
基地局は複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があることと、
前記基地局は前記使用可能な発送リソースで前記複数種類の長時間効果ありのダウンリンクコントロール情報を発送することとを含む、
ダウンリンクコントロール情報発送方法。
【請求項２】
前記サブセット関係は、
前記少なくとも２種類の長時間効果ありのダウンリンクコントロール情報について、使用可能な発送リソースのタイムドメインリソースの周期は同じであること、
少なくとも２種類の長時間効果ありのダウンリンクコントロール情報について、使用可能な発送リソースのタイムドメインリソースの周期は整数倍の関係があること、
少なくとも２種類の長時間効果ありのダウンリンクコントロール情報について、使用可能な発送リソースのタイムドメインリソースの位置は同じオフセットがあること、
の少なくとも１つである、請求項１に記載のダウンリンクコントロール情報発送方法。
【請求項３】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、請求項１に記載のダウンリンクコントロール情報発送方法。
【請求項４】
前記第１種類の長時間効果ありのダウンリンクコントロール情報、前記第２種類の長時間効果ありのダウンリンクコントロール情報及び前記第３種類の長時間効果ありのダウンリンクコントロール情報の関係は、
前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、
前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、
の少なくとも１つを含む、
請求項３に記載のダウンリンクコントロール情報発送方法。
【請求項５】
前記複数種類の長時間効果ありのダウンリンクコントロール情報は、前記第２種類の長時間効果ありのダウンリンクコントロール情報、又は、前記第３種類の長時間効果ありのダウンリンクコントロール情報を含み、
ディーアクティベーションシグナリングの発送可能なリソースのサブフレームセットは、アクティベーションシグナリングの発送可能なリソースのサブフレームセットのサブセットであり、あるいは、
ディーアクティベーションシグナリングの発送可能なリソースのサブフレームセットはチャンネル状態情報参考信号の発送位置に基づいて確定し、あるいは、
ディーアクティベーションシグナリングの発送可能なリソースのサブフレームセットは前記チャンネル状態情報参考信号に対するチャンネル状態情報測定フィードバック割り当てに基づいて確定する、
請求項３に記載のダウンリンクコントロール情報発送方法。
【請求項６】
前記半持続のチャンネル状態情報の測定シグナリングとディーアクティベーションシグナリングは同じシグナリングを採用して同時に発送する、請求項３に記載のダウンリンクコントロール情報発送方法。
【請求項７】
端末は長時間効果ありのダウンリンクコントロール情報の発送リソースで複数種類の長時間効果ありのダウンリンクコントロール情報を検知し、
前記複数種類の長時間効果ありのダウンリンクコントロール情報には、少なくとも２種類の長時間効果ありのダウンリンクコントロール情報について、タイムドメインリソース間はサブセット関係がある、
ダウンリンクコントロール情報検知方法。
【請求項８】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項７に記載のダウンリンクコントロール情報検知方法。
【請求項９】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項７に記載のダウンリンクコントロール情報検知方法。
【請求項１０】
前記第１種類の長時間効果ありのダウンリンクコントロール情報、前記第２種類の長時間効果ありのダウンリンクコントロール情報及び前記第３種類の長時間効果ありのダウンリンクコントロール情報の関係は、
前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、
前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、
の少なくとも１つを含む、
請求項９に記載のダウンリンクコントロール情報検知方法。
【請求項１１】
前記端末が長時間効果ありのダウンリンクコントロール情報の発送リソースで検知する複数種類の長時間効果ありのダウンリンクコントロール情報のフォーマットは、
短時間効果ありのダウンリンクコントロール情報を含む第１種類フォーマットと、
短時間効果ありのダウンリンクコントロール情報と長時間効果ありのダウンリンクコントロール情報を含む第２種類フォーマットとを含む、
請求項７に記載のダウンリンクコントロール情報検知方法。
【請求項１２】
同時に発送する前記複数種類の長時間効果ありのダウンリンクコントロール情報について、前記端末はアップリンクシグナリングで前記複数種類の長時間効果ありのダウンリンクコントロール情報に対して合わせて応答する、
請求項１１に記載のダウンリンクコントロール情報検知方法。
【請求項１３】
複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があるように設定される割り当てモジュールと、
前記使用可能な発送リソースで前記複数種類の長時間効果ありのダウンリンクコントロール情報を発送するように設定される発送モジュールとを備える、
ダウンリンクコントロール情報発送装置。
【請求項１４】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項１３に記載のダウンリンクコントロール情報発送装置。
【請求項１５】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項１３に記載のダウンリンクコントロール情報発送装置。
【請求項１６】
長時間効果ありのダウンリンクコントロール情報の発送リソースで複数種類の長時間効果ありのダウンリンクコントロール情報を検知し、前記複数種類の長時間効果ありのダウンリンクコントロール情報には、少なくとも２種類の長時間効果ありのダウンリンクコントロール情報について、タイムドメインリソース間はサブセット関係があるように設定される検知モジュールを備える、ダウンリンクコントロール情報検知装置。
【請求項１７】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項１６に記載のダウンリンクコントロール情報検知装置。
【請求項１８】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項１６に記載のダウンリンクコントロール情報検知装置。
【請求項１９】
前記端末が長時間効果ありのダウンリンクコントロール情報の発送リソースで検知する複数種類の長時間効果ありのダウンリンクコントロール情報のフォーマットは、
短時間効果ありのダウンリンクコントロール情報を含む第１種類フォーマットと、
短時間効果ありのダウンリンクコントロール情報と長時間効果ありのダウンリンクコントロール情報を含む第２種類フォーマットとを含む、
請求項１６に記載のダウンリンクコントロール情報検知装置。
【請求項２０】
検知する複数種類の長時間効果ありのダウンリンクコントロール情報を同時に発送する場合、端末はアップリンクシグナリングで前記複数種類の長時間効果ありのダウンリンクコントロール情報に対して合わせて応答するように設定される応答モジュールを備える、
請求項１９に記載のダウンリンクコントロール情報検知装置。
【請求項２１】
基地局は第１種類のシグナリングで伝送リソースのアクティベーション又は端末レポートの開始を指示することと、
基地局は第２種類のシグナリングで伝送リソースのディーアクティベーション又は端末レポートの停止を指示することとを含み、
前記第１種類のシグナリングの使用可能な発送リソースセットに含まれるタイムスロットの数は、前記第２種類のシグナリングの使用可能な発送リソースセットに含まれるタイムスロットの数以上である、
シグナリング発送方法。
【請求項２２】
前記第１種類のシグナリングは、物理レイヤーシグナリング、メディアアクセスコントロールシグナリング及び無線リソースコントロールシグナリングのいずれか１つであり、
前記第２種類のシグナリングは、物理レイヤーシグナリング、メディアアクセスコントロールシグナリング及び無線リソースコントロールシグナリングのいずれか１つである、
請求項２１に記載のシグナリング発送方法。
【請求項２３】
第１種類のシグナリングで伝送リソースのアクティベーション又は端末レポートの開始を指示するように設定される第１指示モジュールと、
第２種類のシグナリングで伝送リソースのディーアクティベーション又は端末レポートの停止を指示するように設定される第２指示モジュールとを備え、
前記第１種類のシグナリングの使用可能な発送リソースセットに含まれるタイムスロットの数は、第２種類のシグナリングの使用可能な発送リソースセットに含まれるタイムスロットの数以上である、
シグナリング発送装置。
【請求項２４】
前記第１種類のシグナリングは、物理レイヤーシグナリング、メディアアクセスコントロールシグナリング及び無線リソースコントロールシグナリングのいずれか１つであり、
前記第２種類のシグナリングは、物理レイヤーシグナリング、メディアアクセスコントロールシグナリング及び無線リソースコントロールシグナリングのいずれか１つである、
請求項２３に記載のシグナリング発送装置。
【請求項２５】
記憶したプログラムを含む記憶媒体であって、前記プログラムが作動されると、請求項１〜１２に記載のダウンリンクコントロール情報発送方法又は請求項２１〜２２のいずれか１項に記載のシグナリング発送方法を実行する、記憶媒体。
【請求項２６】
プログラムを作動させるプロセッサーであって、前記プログラムが作動されると、請求項１〜１２に記載のダウンリンクコントロール情報発送方法又は請求項２１〜２２のいずれか１項に記載のシグナリング発送方法を実行する、プロセッサー。
【発明の詳細な説明】
【技術分野】
【０００１】
本発明は、出願番号２０１７１０９３９５２５．５、出願日２０１７年０９月３０日の中国特許出願に基づいて提出し、該中国特許出願の優先権を主張するものであり、該中国特許出願のすべての内容が引用により本発明に援用される。
【０００２】
本発明は、通信分野に関し、具体的には、ダウンリンクコントロール情報の発送・検知方法及び装置に関する。
【背景技術】
【０００３】
無線通信システムにおいて、ダウンリンク物理層のコントロールチャンネルが非常に重要な役割を有し、物理層のコントロール情報が、主にユーザー端末（Ｕｓｅｒ  Ｅｑｕｉｐｍｅｎｔ、ＵＥ）に対して、ＵＥがダウンリンクデータチャンネルでの受信のために、ダウンリンク割り当て情報（ＤＬ  Ａｓｓｉｇｎｍｅｎｔ）を発送することに用いられ、上記データチャンネルは、データに加えて、上層のシグナリング情報を運んでもよく、また、ＵＥがアップリンクデータチャンネルでの発信のために、ＵＥに対してアップリンク割り当て情報（ＵＬ  Ｇｒａｎｔ）を発送することに用いられる。
【０００４】
４Ｇロングタームエボリューション（Ｌｏｎｇ  Ｔｅｒｍ  Ｅｖｏｌｕｔｉｏｎ、ＬＴＥ）において、非周期性のチャンネル状態情報（Ｃｈａｎｎｅｌ  Ｓｔａｔｅ  Ｉｎｆｏｒｍａｔｉｏｎ、ＣＳＩ）のレポートをリクエストすることと、メインコントロールチャンネル（Ｍａｉｎ  Ｃｏｎｔｒｏｌ  Ｃｈａｎｎｅｌ、ＭＣＣＨ）の変化を通知することと、アップリンクのパワーコントロールコマンドを発送することと、アップリンクのハイブリッド自動リピートリクエスト（Ｈｙｂｒｉｄ  Ａｕｔｏｍａｔｉｃ  Ｒｅｐｅａｔ  ｒｅＱｕｅｓｔ、  ＨＡＲＱ）の関連情報を発送することと、復調参考シグナル（Ｄｅｍｏｄｕｌａｔｉｏｎ  Ｒｅｆｅｒｅｎｃｅ  Ｓｉｇｎａｌ、ＤＭＲＳ）の設定を指示することとしても用いられる。
【０００５】
５Ｇ新たな無線アクセス技術（Ｎｅｗ  Ｒａｄｉｏ  ａｃｃｅｓｓ  ｔｅｃｈｎｏｌｏｇｙ、ＮＲ）において、コントロールシグナリングがより多くの機能を有し、例えば、非周期性又は半持続の測定パイロット信号、例として、チャンネル状態情報参考信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）とサウンディング参考信号（Ｓｏｕｎｄｉｎｇ  ｒｅｆｅｒｅｎｃｅ  ｓｉｇｎａｌ、ＳＲＳ）をトリガすることと、物理リソースブロックのバンドリング（ＰＲＢ  ｂｕｎｄｌｉｎｇ）のパラメータを指示することと、伝送ビームを指示し、参考信号の準コーロケション（Ｑｕａｓｉ−ｃｏｌｌｏｃａｔｉｏｎ、ＱＣＬ）関係を指示し、アップリンクプリコーディングを指示すること等としても用いられる。これらの機能には、一定時間内の複数のタイムスロットを影響可能である機能が存在する。
【０００６】
５Ｇ  ＮＲのコントロール情報には、後続の長時間伝送に大きい影響を与える重要なコントロール情報が含まれるため、これらの情報をなくした場合、後続の一定時間内の伝送プロセスにおいて、送受信側の情報が一致しない状況が現れ、エラーの持続に繋がり、比較的厳重なパフォーマンスの低下をもたらす。
【発明の概要】
【発明が解決しようとする課題】
【０００７】
本発明実施例は、関連技術においてダウンリンクコントロール情報をなくしたことによってシステムパフォーマンスが低下するという問題を解決するダウンリンクコントロール情報の発送・検知方法及び装置を提供する。
【０００８】
本発明の１つの実施例において、当該方法は、基地局は複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があることと、基地局は前記使用可能な発送リソースで前記複数種類の長時間効果ありのダウンリンクコントロール情報を発送することとを含む。
【０００９】
本発明の他の実施例によれば、端末は長時間効果ありのダウンリンクコントロール情報の発送リソースで複数種類の長時間効果ありのダウンリンクコントロール情報を検知し、前記複数種類の長時間効果ありのダウンリンクコントロール情報には、少なくとも２種類の長時間効果ありのダウンリンクコントロール情報について、タイムドメインリソース間はサブセット関係があることを含むダウンリンクコントロール情報検知方法をさらに提供する。
【００１０】
本発明の更なる実施例によれば、複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があるように設定される割り当てモジュールと、前記使用可能な発送リソースで前記複数種類の長時間効果ありのダウンリンクコントロール情報を発送するように設定される発送モジュールとを備えるダウンリンクコントロール情報発送装置をさらに提供する。
【００１１】
本発明の更なる実施例によれば、長時間効果ありのダウンリンクコントロール情報の発送リソースで複数種類の長時間効果ありのダウンリンクコントロール情報を検知し、前記複数種類の長時間効果ありのダウンリンクコントロール情報には、少なくとも２種類の長時間効果ありのダウンリンクコントロール情報について、タイムドメインリソース間はサブセット関係があるように設定される検知モジュールを備えるダウンリンクコントロール情報検知装置をさらに提供する。
【００１２】
本発明の更なる実施例によれば、基地局は第１種類のシグナリングで伝送リソースのアクティベーション又は端末レポートの開始を指示することと、基地局は第２種類のシグナリングで伝送リソースのディーアクティベーション又は端末レポートの停止を指示することとを含み、前記第１種類のシグナリングの使用可能な発送リソースセットに含まれるタイムスロットの数は、第２種類のシグナリングの使用可能な発送リソースセットに含まれるタイムスロットの数以上であるシグナリング発送方法をさらに提供する。
【００１３】
本発明の更なる実施例によれば、第１種類のシグナリングで伝送リソースのアクティベーション又は端末レポートの開始を指示するように設定される第１指示モジュールと、第２種類のシグナリングで伝送リソースのディーアクティベーション又は端末レポートの停止を指示するように設定される第２指示モジュールとを備え、前記第１種類のシグナリングの使用可能な発送リソースセットに含まれるタイムスロットの数は、第２種類のシグナリングの使用可能な発送リソースセットに含まれるタイムスロットの数以上であるシグナリング発送装置をさらに提供する。
【図面の簡単な説明】
【００１４】
ここで説明される図面は、本発明に対する更なる理解を提供し、本発明の一部を構成し、本発明の模式実施例及びその説明は、本発明を解釈するためのものであり、本発明の技術案を不適当に制限するものではない。
【００１５】
【図１】本発明実施例に係るダウンリンクコントロール情報発送方法のフローチャートである。
【図２】本発明実施例に係るダウンリンクコントロール情報検知方法のフローチャートである。
【図３】本発明実施例に係るダウンリンクコントロール情報の発送可能なリソースに関する割り当て模式図である。
【図４】本発明実施例に係るダウンリンクコントロール情報のフォーマット模式図である。
【図５】本発明実施例に係るシグナリング発送リソースの割り当て模式図である。
【図６】本発明実施例に係る基地局の構造ブロック図である。
【図７】本発明実施例に係る端末の構造ブロック図である。
【発明を実施するための形態】
【００１６】
以下、図面を参照しながら実施例を結び付けて本発明を説明する。なお、衝突しない場合、本発明の実施例及び実施例の特徴を組み合わせることができる。
【００１７】
なお、本発明の明細書と特許請求の範囲及び上述した図面における「第１」と「第２」などの用語は、類似する対象を区別するためのものであり、特定の順序又は前後順序を説明するものではない。
【００１８】
５Ｇ  ＮＲのコントロール情報には、後続の長時間伝送に大きい影響を与える重要なコントロール情報が含まれ、これらの情報をなくした場合、受信側はそれを認識できないため、後続の一定時間内の伝送プロセスにおいて、送受信側の情報が一致しない状況が現れる。
【００１９】
例えば、ビーム切り替えの場合、基地局はダウンリンクコントロールシグナリング（Ｄｏｗｎｌｉｎｋ  Ｃｏｎｔｒｏｌ  Ｉｎｆｏｒｍａｔｉｏｎ、ＤＣＩ）で切り替えシグナリングを通知し、ここで、この情報が受信できなかった場合、後続の一定時間内の伝送ビームについて間違った理解が現れることに繋がる。
【００２０】
もう１つの例として、基地局はＤＣＩでアップリンクのパワーコントロールを行い、この情報が受信できなかった場合、基地局は端末が発送パワーの調整を行ったと認識したが、端末は実際調整しなかったため、基地局のアップリンクに対する一部の伝送判断について問題が現れ、間違ったアップリンクの調整、変調とコーディングスキーム（Ｍｏｄｕｌａｔｉｏｎ  ａｎｄ  Ｃｏｄｉｎｇ  Ｓｃｈｅｍｅ、ＭＳＣ）の判断及びレイヤー（ｌａｙｅｒ）の判断になる可能性がある。
【００２１】
更なる例として、基地局は半持続の測定パイロット信号の発送をアクティブにし、この情報が受信できなかった場合、端末は正確なレートマッチング（Ｒａｔｅ  Ｍａｔｃｈｉｎｇ）を行うことができず、発送したパイロット信号の情報をデータとして理解するため、ダウンリンクの復調パフォーマンスに影響をもたらす。この状況は半持続の測定パイロット信号をディーアクティブにする場合でも発生する。
【００２２】
その他の影響、例えば、基地局アクティベーション又はディーアクティベーション用の半持続ＣＳＩレポート情報の紛失、複数タイムスロットに有効なプリコーディング情報の紛失、複数タイムスロット（Ｓｌｏｔ）に有効なＰＲＢ  Ｂｕｎｄｉｎｇ情報の紛失がある。この種類の複数のタイムスロットに有効なコントロール情報をなくした場合、送受信側の理解の不一致が生まれ、大きいシステムパフォーマンスの低下をもたらす。
【００２３】
本実施例はダウンリンクコントロール情報発送方法を提供する。図１に示すように、該プロセスは以下のステップＳ１０２とステップＳ１０４を含む。ステップＳ１０２において、基地局は複数種類の長時間効果ありのダウンリンクコントロール情報の使用可能な発送リソースを割り当てる。
【００２４】
前記複数種類の長時間効果ありのダウンリンクコントロール情報には、少なくとも２種類の長時間効果ありのダウンリンクコントロール情報について、使用可能な発送リソースのタイムドメインリソース間はサブセット関係がある。
【００２５】
ステップＳ１０４において、基地局は前記使用可能な発送リソースで前記複数種類の長時間効果ありのダウンリンクコントロール情報を発送する。
【００２６】
本実施例において、複数種類の長時間効果ありのダウンリンクコントロール情報を発送するとき、タイムドメインリソースのサブセット関係の制限で、同じタイムスロットに位置するため、異なる種類のダウンリンクコントロール情報を更新する際の衝突問題を解決する。
【００２７】
１つの実施例において、複数種類の長時間効果ありのダウンリンクコントロール情報のサブセット関係は、前記少なくとも２種類の長時間効果ありのダウンリンクコントロール情報について、使用可能な発送リソースのタイムドメインリソースの周期は同じであること、前記少なくとも２種類の長時間効果ありのダウンリンクコントロール情報について、使用可能な発送リソースのタイムドメインリソースの周期は同じであるか又は整数倍の関係があること、前記少なくとも２種類の長時間効果ありのダウンリンクコントロール情報について、使用可能な発送リソースのタイムドメインリソースの位置は同じオフセットがあること、の少なくとも１つである。
【００２８】
１つの実施例において、前記複数種類の長時間効果ありのダウンリンクコントロール情報は、以下の第１種類〜第３種類のうちの少なくとも２種類の長時間効果ありのダウンリンクコントロール情報であり、第１種類の長時間効果ありのダウンリンクコントロール情報はビーム又はＱＣＬ関係の指示シグナリングであり、第２種類の長時間効果ありのダウンリンクコントロール情報は半持続のパイロット信号測定の発送アクティベーションシグナリング又はディーアクティベーションシグナリングであり、第３種類の長時間効果ありのダウンリンクコントロール情報は半持続のＣＳＩのレポートアクティベーションシグナリング又はディーアクティベーションシグナリングである。
【００２９】
１つの実施例において、前記第１種類の長時間効果ありのダウンリンクコントロール情報、前記第２種類の長時間効果ありのダウンリンクコントロール情報及び前記第３種類の長時間効果ありのダウンリンクコントロール情報の関係は、前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、の少なくとも１つを含む。
【００３０】
１つの実施例において、前記複数種類の長時間効果ありのダウンリンクコントロール情報は、前記第２種類の長時間効果ありのダウンリンクコントロール情報、又は、前記第３種類の長時間効果ありのダウンリンクコントロール情報であり、ディーアクティベーションシグナリングの発送可能なリソースのサブフレームセットは、アクティベーションシグナリングの発送可能なリソースのサブフレームセットのサブセットであり、あるいは、ディーアクティベーションシグナリングの発送可能なリソースのサブフレームセットはチャンネル状態情報参考信号の発送位置に基づいて確定し、あるいは、ディーアクティベーションシグナリングの発送可能なリソースのサブフレームセットは前記チャンネル状態情報参考信号に対するチャンネル状態情報測定フィードバック割り当てに基づいて確定する。
【００３１】
１つの実施例において、前記半持続のチャンネル状態情報の測定シグナリングとディーアクティベーションシグナリングは同じシグナリングを採用して同時に発送する。
【００３２】
本実施例はダウンリンクコントロール情報検知方法を提供する。図１に示すように、該プロセスは以下のステップＳ２０２を含む。
【００３３】
ステップＳ２０２において、端末は対応するリソースで複数種類の長時間効果ありのダウンリンクコントロール情報を検知する。
【００３４】
前記複数種類の長時間効果ありのダウンリンクコントロール情報には、少なくとも２種類の長時間効果ありのダウンリンクコントロール情報について、タイムドメインリソース間はサブセット関係がある。
【００３５】
１つの実施例において、複数種類の長時間効果ありのダウンリンクコントロール情報のサブセット関係は、前記少なくとも２種類の長時間効果ありのダウンリンクコントロール情報について、使用可能な発送リソースのタイムドメインリソースの周期は同じであること、前記少なくとも２種類の長時間効果ありのダウンリンクコントロール情報について、使用可能な発送リソースのタイムドメインリソースの周期は同じであるか又は整数倍の関係があること、前記少なくとも２種類の長時間効果ありのダウンリンクコントロール情報について、使用可能な発送リソースのタイムドメインリソースの位置は同じオフセットがあること、の少なくとも１つである。
【００３６】
１つの実施例において、前記複数種類の長時間効果ありのダウンリンクコントロール情報は、以下の第１種類〜第３種類のうちの少なくとも２種類の長時間効果ありのダウンリンクコントロール情報であり、第１種類の長時間効果ありのダウンリンクコントロール情報はビーム又はＱＣＬ関係の指示シグナリングであり、第２種類の長時間効果ありのダウンリンクコントロール情報は半持続のパイロット信号測定の発送アクティベーションシグナリング又はディーアクティベーションシグナリングであり、第３種類の長時間効果ありのダウンリンクコントロール情報は半持続のＣＳＩのレポートアクティベーションシグナリング又はディーアクティベーションシグナリングである。
【００３７】
１つの実施例において、前記第１種類の長時間効果ありのダウンリンクコントロール情報、前記第２種類の長時間効果ありのダウンリンクコントロール情報及び前記第３種類の長時間効果ありのダウンリンクコントロール情報の関係は、前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、の少なくとも１つを含む。
【００３８】
１つの実施例において、前記端末が長時間効果ありのダウンリンクコントロール情報の発送リソースで検知する複数種類の長時間効果ありのダウンリンクコントロール情報のフォーマットは、短時間効果ありのダウンリンクコントロール情報を含む第１種類フォーマットと、短時間効果ありのダウンリンクコントロール情報と長時間効果ありのダウンリンクコントロール情報を含む第２種類フォーマットとを含む。
【００３９】
１つの実施例において、同時に発送する前記複数種類の長時間効果ありのダウンリンクコントロール情報について、端末はアップリンクシグナリングで複数種類の長時間効果ありのダウンリンクコントロール情報に対して合わせて応答する。
【００４０】
図３は本発明実施例に係るダウンリンクコントロール情報の発送可能なリソースに関する割り当て模式図である。
【００４１】
本実施例において、基地局は複数種類の長時間効果ありのダウンリンクコントロール情報の使用可能な発送リソースを割り当てるか、又は、送受信側で該使用可能な発送リソースを約束する。その後、基地局は、前記使用可能な発送リソースで前記複数種類の長時間効果ありのコントロール情報を受信側へ発送する。以下、それぞれ発送リソースの割り当てとＤＣＩの検知の２つ点から本実施例を詳しく説明する。
【００４２】
（１）発送リソースの割り当て
【００４３】
複数種類の長時間効果ありのダウンリンクコントロール情報において、少なくとも２種類について、使用可能なタイムドメインリソースは以下の２種類のサブセット関係がある。
【００４４】
１）リソースの周期は同じであるか又は整数倍の関係がある。
【００４５】
２）前記複数種類の長時間効果ありのコントロール情報について、使用可能な発送リソースのタイムドメインリソースの位置は同じオフセットがある。
【００４６】
図３に示すように、基地局のリソース割り当てが必要となる複数種類の長時間効果ありのダウンリンクコントロール情報は、３種類の長時間効果ありのコントロール情報を含み、第１種類の長時間効果ありのダウンリンクコントロール情報はビーム又はＱＣＬ関係の指示シグナリングであり、第２種類の長時間効果ありのダウンリンクコントロール情報は半持続のパイロット信号測定の発送アクティベーションシグナリング又はディーアクティベーションシグナリングであり、第３種類の長時間効果ありのダウンリンクコントロール情報は半持続のＣＳＩのレポートアクティベーションシグナリング又はディーアクティベーションシグナリングである。
【００４７】
図３において、第３種類の長時間効果ありのコントロール情報の使用可能なスロットリソースは第２種類のサブセットであり、第２種類の長時間効果ありのコントロール情報の使用可能なＳｌｏｔリソースは第１種類のサブセットである。
【００４８】
（２）ＤＣＩの検知
【００４９】
帯域を節約するため、基地局はすべての使用可能な長時間効果ありのＤＣＩ情報のリソース位置で発送するわけではなく、変更のニーズがなければ発送しなくてもよい。そのため、端末は長時間効果ありのＤＣＩ情報が現れる可能性があるタイムスロットで複数種類のダウンリンクコントロール情報フォーマット（ＤＣＩ  ｆｏｒｍａｔ）を検知する必要がある。
【００５０】
本実施例において、２種類のＤＣＩ  ｆｏｒｍａｔを提供し、第１種類のｆｏｒｍａｔは短時間効果ありのＤＣＩ情報を含み、第２種類のｆｏｒｍａｔは短時間効果ありのＤＣＩ情報と長時間効果ありのＤＣＩ情報の両方を含む。
【００５１】
長時間効果ありのＤＣＩ情報を発送する際に、採用するフォーマットは長間効果ありのＤＣＩ情報の発送リソースの割り当てに基づいて確定する。図４は、４種類の異なる採用可能な第２種類のＤＣＩ  ｆｏｒｍａｔを示す。
【００５２】
ＤＣＩ  ｆｏｒｍａｔ  Ａでは、短時間効果ありのＤＣＩ情報と３種類の異なる長時間効果ありのＤＣＩ情報（長時間効果ありのＤＣＩ情報  １、ＤＣＩ情報  ２、ＤＣＩ情報  ３）を含む。ＤＣＩ  ｆｏｒｍａｔ  Ｂでは、短時間効果ありのＤＣＩ情報と２種類の異なる長時間効果ありのＤＣＩ情報（長時間効果ありのＤＣＩ情報  １とＤＣＩ情報  ２）を含む。ＤＣＩ  ｆｏｒｍａｔ  Ｃでは、短時間効果ありのＤＣＩ情報と３種類の異なる長時間効果ありのＤＣＩ情報（長時間効果ありのＤＣＩ情報  １とＤＣＩ情報  ３）を含む。ＤＣＩ  ｆｏｒｍａｔ  Ｄでは、短時間効果ありのＤＣＩ情報と長時間効果ありのＤＣＩ情報  １を含む。
【００５３】
半持続ＣＳＩ−ＲＳとは、アクティベーションの期間が対応する時間範囲内に、基地局は割り当てられたリソース位置で周期的にＣＳＩ−ＲＳを発送することである。
【００５４】
本実施例において、半持続ＣＳＩ−ＲＳのアクティベーションはより自由であってもよい。例えば、任意のＳｌｏｔでアクティベーションを実施してもよい。それに対して、半持続ＣＳＩ−ＲＳのディーアクティベーションは特定のサブフレームに限定する必要がある。
【００５５】
本実施例において、ディーアクティベーションシグナリングを発送可能なサブフレームセットは、アクティベーションシグナリングを発送可能なサブフレームセットのサブセットであり、あるいは、ディーアクティベーションシグナリングを発送可能なサブフレームセットはＣＳＩ−ＲＳの発送位置に基づいて確定し、あるいは、ディーアクティベーションシグナリングを発送可能なサブフレームセットは該ＣＳＩ−ＲＳのＣＳＩ測定フィードバック割り当てに基づいて確定する。
【００５６】
さらに、該ＣＳＩ−ＲＳに対する半持続ＣＳＩ測定が存在する場合、対応するディーアクティベーションシグナリングを同時に発送すべきである。同じシグナリングの使用を約束してもよい。
【００５７】
本実施例において、第１種類のシグナリングで伝送リソースのアクティベーション又は端末レポートの開始を指示することと、第２種類のシグナリングで伝送リソースのディーアクティベーション又は端末レポートの停止を指示することとを含み、前記第１種類のシグナリングの使用可能な発送リソースセットに含まれるタイムスロットの数は、第２種類のシグナリングの使用可能な発送リソースセットに含まれるタイムスロットの数以上である（すなわち、第１種類のシグナリングの発送自由度は、第２種類のシグナリングの発送自由度以上である）シグナリング発送方法を提供する。
【００５８】
１つの実施例において、前記第１種類のシグナリングは、物理レイヤーシグナリング、メディアアクセスコントロールシグナリング及び無線リソースコントロールシグナリングのいずれか１つであり、前記第２種類のシグナリングは、物理レイヤーシグナリング、メディアアクセスコントロールシグナリング及び無線リソースコントロールシグナリングのいずれか１つである。図５は、本発明実施例に係るシグナリング発送リソースの割り当て模式図であり、図５に示すように、基地局は周期的なパイロット信号リソースを割り当て、例えば、周期は５ｍｓである。アクティベーションを行わない場合、これらのリソースはデータの伝送に使用されてもよい。リソースアクティベーションした場合、パイロット信号の発送に使用される。基地局は第１種類のシグナリングで予め割り当てたパイロット信号のリソースのアクティベーションを行い、第１種類のシグナリングを受信した後、端末は基地局が５ｍｓ周期でパイロット信号を発送し始めたことを認識し、ディーアクティベーションシグナリングを受信するまで、端末は基地局がパイロット信号を発送し続けると依然として認識する。基地局は第２種類のシグナリングでパイロット信号のリソースのディーアクティベーションを行ってもよい。一般的には、速やかな測定へのニーズを満たすために、アクティベーションの高い自由度を必要とし、それに対して、ディーアクティベーションはシグナリングの自由度への要求がやや低い。貴重なシグナリングリソースを節約するために、以下の態様を採用してもよい。
【００５９】
本実施例において、第１種類のシグナリングと第２種類のシグナリングのタイプは、以下の６種類の組み合わせであってもよい。
【００６０】
第１種類のシグナリングのタイプは、物理層シグナリングで、第２種類のシグナリングのタイプはメディアアクセスコントロール（Ｍｅｄｉａ  Ａｃｃｅｓｓ  Ｃｏｎｔｒｏｌ、ＭＡＣ）シグナリングである。第１種類のシグナリングのタイプは、物理層シグナリングで、第２種類のシグナリングのタイプは無線リソースコントロール（Ｒａｄｉｏ  Ｒｅｓｏｕｒｃｅ  Ｃｏｎｔｒｏｌ、ＲＲＣ）シグナリングである。第１種類のシグナリングのタイプは、物理層シグナリングで、第２種類のシグナリングのタイプはＭＡＣシグナリング又はＲＲＣシグナリングである。第１種類のシグナリングのタイプは、物理層シグナリングで、第２種類のシグナリングのタイプは、物理層シグナリング、ＭＡＣ又はＲＲＣシグナリングである。第１種類のシグナリングのタイプはＭＡＣシグナリングで、第２種類のシグナリングのタイプはＲＲＣシグナリングである。第１種類のシグナリングのタイプは、物理層又はＭＡＣシグナリングで、第２種類のシグナリングのタイプはＭＡＣ又はＲＲＣシグナリングである。
【００６１】
本実施例において、基地局は周期的に、チャンネル品質情報又はその他の測定情報をレポートすることに設定してもよい。そのレポート開始とレポート停止の指示はリソースのアクティベーションとディーアクティベーションに類似する。
【００６２】
前記実施形態の説明により、当業者は前記実施例の方法がソフトウェアと必要となる一般的なハードウェアプラットフォームの態様で実現でき、当然、ハードウェアのみでも実現できることを明瞭に理解できる。この理解に基づき、本発明の技術案は本質上あるいは従来技術に貢献できる部分はソフトウェア製品の形で具体化でき、該コンピュータソフトウェア製品は、１つの記憶媒体（例えばＲＯＭ／ＲＡＭ、磁器ディスク、光ディスク）に記憶され、いくつかのコマンドを含んで一台の端末機器（携帯電話、コンピュータ、サーバー、あるいはネットワーク機器などであってもよい）に本発明の各実施例を実行させる。
【００６３】
本実施例はダウンリンクコントロール情報を発送する側の基地局とダウンリンクコントロール情報を検知する側の端末をさらに提供する。該基地局と端末はそれぞれ前記発送側と検知側の実施例及び実施態様を実現し、説明したものはここでは繰り返し説明しない。例えば、以下で使用される用語「モジュール」は予め設定した機能を実現できるソフトウェア及び／又はハードウェアとの組み合わせであっても良い。以下の実施例で説明する装置はソフトウェアで実現するものが好適であるが、ハードウェア、あるいはソフトウェアとハードウェアの組み合わせでの実現も考えられる。
【００６４】
図６は本発明実施例に係るダウンリンクコントロール情報発送装置の構造ブロック図であり、図６に示すように、該発送装置１００は、複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があるように設定される割り当てモジュール１１０と、前記使用可能な発送リソースで前記複数種類の長時間効果ありのダウンリンクコントロール情報を発送するように設定される発送モジュール１２０とを備える。
【００６５】
１つの実施例において、前記サブセット関係は、前記少なくとも２種類の長時間効果ありのダウンリンクコントロール情報について、使用可能な発送リソースのタイムドメインリソースの周期は同じであること、前記少なくとも２種類の長時間効果ありのダウンリンクコントロール情報について、使用可能な発送リソースのタイムドメインリソースの周期は同じであるか又は整数倍の関係があること、前記少なくとも２種類の長時間効果ありのダウンリンクコントロール情報について、使用可能な発送リソースのタイムドメインリソースの位置は同じオフセットがあること、の少なくとも１つである。
【００６６】
１つの実施例において、前記複数種類の長時間効果ありのダウンリンクコントロール情報は、以下の第１種類〜第３種類のうちの少なくとも２種類の長時間効果ありのダウンリンクコントロール情報であり、第１種類の長時間効果ありのダウンリンクコントロール情報はビーム又はＱＣＬ関係の指示シグナリングであり、第２種類の長時間効果ありのダウンリンクコントロール情報は半持続のパイロット信号測定の発送アクティベーションシグナリング又はディーアクティベーションシグナリングであり、第３種類の長時間効果ありのダウンリンクコントロール情報は半持続のＣＳＩのレポートアクティベーションシグナリング又はディーアクティベーションシグナリングである。１つの実施例において、前記実施例のダウンリンクコントロール情報発送装置は、１つの基地局又は基地局の１つ機能パーツであってもよく、該基地局はプロセッサーと相応する記憶装置を含み、ダウンリンクコントロール情報発送装置の割り当てモジュールは記憶装置に記憶される機能モジュールであってもよく、プロセッサーでこれら機能モジュールを実行して相応のステップ又は操作を実現し、また、ダウンリンクコントロール情報発送装置の発送モジュール機能は基地局の送受信機で実現可能である。
【００６７】
図７は本発明実施例に係るダウンリンクコントロール情報検知装置の構造ブロック図であり、図７に示すように、該検知装置２００は、対応するリソースで複数種類の長時間効果ありのダウンリンクコントロール情報を検知し、前記複数種類の長時間効果ありのダウンリンクコントロール情報には、少なくとも２種類の長時間効果ありのダウンリンクコントロール情報について、タイムドメインリソース間はサブセット関係があるように設定される検知モジュール２１０を備える。
【００６８】
１つの実施例において、前記端末２００が検知するダウンリンクコントロール情報のフォーマットは、短時間効果ありのダウンリンクコントロール情報を含む第１種類フォーマットと、短時間効果ありのダウンリンクコントロール情報と長時間効果ありのダウンリンクコントロール情報を含む第２種類フォーマットとを含む。
【００６９】
１つの実施例において、前記端末２００は、検知する複数種類の長時間効果ありのダウンリンクコントロール情報を併せて発送する場合、端末はアップリンクシグナリングで前記複数種類の長時間効果ありのダウンリンクコントロール情報に対して合わせて応答するように設定される応答モジュール２２０をさらに備える。
【００７０】
１つの実施例において、前記実施例のダウンリンクコントロール情報検知装置は１つのユーザー端末又はユーザー端末の１つ機能パーツであってもよい。該端末はプロセッサーと相応する記憶装置を含み、ダウンリンクコントロール情報検知装置の検知モジュールは記憶装置に記憶される機能モジュールであってもよく、プロセッサーでこれら機能モジュールを実行して相応のステップ又は操作を実現し、また、ダウンリンクコントロール情報の受信及びアップリンクシグナリングの発送を行って応答する機能は、ユーザー端末の無線周波数モジュールで実現可能である。
【００７１】
なお、前記各モジュールはソフトウェア又はハードウェアで実現できる。後者の場合は、以下の態様で実現できるが、それに限定されない。前記モジュールはすべて同じプロセッサーに位置するか、あるいは、前記各モジュールは任意組み合わせの形で異なるプロセッサーに位置する。
【００７２】
本発明の更なる実施例は、プロセッサーを提供する。該プロセッサーは記憶装置に記憶されるプログラムを作動させるために用いられ、前記プログラムが作動されると、上述したいずれかの方法を実行する。
【００７３】
本発明の更なる実施例は、コンピュータ記憶媒体を提供する。該記憶媒体はプログラムコードを記憶するために用いられ、前記プログラムコートが作動されると、上述した実施例のステップを実行する。
【００７４】
本実施例において、前記コンピュータの記憶媒体は、ＵＳＢメモリー、読み出し専用メモリー（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、可搬型ディスク、磁気ディスクあるいは光ディスクなど各種プログラムコードを記憶できる媒体を含んでもよいが、それに限定されない。
【００７５】
本実施例における具体的な例は前記実施例と好ましい実施形態において説明した例を参考できるため、ここでは繰り返し説明しない。
【００７６】
当業者であれば、前記本発明の各モジュールと各ステップは、汎用的な計算装置で実現可能であり、１つの計算装置に集中してもよいか、あるいは、複数の計算装置からなるネットワークに分布してもよい。１つの実施例において、計算装置における実行可能なプログラムコードで実現可能であるため、記憶装置に記憶されて計算装置により実行してもよく、且ついくつかの状況では、ここで示すか又は説明したステップとは異なる順序で実行してもよく、あるいは、それぞれ集積回路のモジュールにし、あるいは、それらの複数のモジュール又はステップを単体の集積回路のモジュールにして実現する。これにより、本発明は特定のハードウェアとソフトウェアの組み合わせに制限されない。
【図１】
2020535766.tif 000003
【図２】
2020535766.tif 000004
【図３】
2020535766.tif 000005
【図４】
2020535766.tif 000006
【図５】
2020535766.tif 000007
【図６】
2020535766.tif 000008
【図７】
2020535766.tif 000009
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
基地局は複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があることと、
前記基地局は前記使用可能な発送リソースで前記複数種類の長時間効果ありのダウンリンクコントロール情報を発送することとを含む、
ダウンリンクコントロール情報発送方法。
【請求項２】
前記サブセット関係は、
前記少なくとも２種類の長時間効果ありのダウンリンクコントロール情報について、使用可能な発送リソースのタイムドメインリソースの周期は同じであること、
少なくとも２種類の長時間効果ありのダウンリンクコントロール情報について、使用可能な発送リソースのタイムドメインリソースの周期は整数倍の関係があること、
少なくとも２種類の長時間効果ありのダウンリンクコントロール情報について、使用可能な発送リソースのタイムドメインリソースの位置は同じオフセットがあること、
の少なくとも１つである、請求項１に記載のダウンリンクコントロール情報発送方法。
【請求項３】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、請求項１に記載のダウンリンクコントロール情報発送方法。
【請求項４】
前記第１種類の長時間効果ありのダウンリンクコントロール情報、前記第２種類の長時間効果ありのダウンリンクコントロール情報及び前記第３種類の長時間効果ありのダウンリンクコントロール情報の関係は、
前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、
前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、
の少なくとも１つを含む、
請求項３に記載のダウンリンクコントロール情報発送方法。
【請求項５】
前記複数種類の長時間効果ありのダウンリンクコントロール情報は、前記第２種類の長時間効果ありのダウンリンクコントロール情報、又は、前記第３種類の長時間効果ありのダウンリンクコントロール情報を含み、
ディーアクティベーションシグナリングの発送可能なリソースのサブフレームセットは、アクティベーションシグナリングの発送可能なリソースのサブフレームセットのサブセットであり、あるいは、
ディーアクティベーションシグナリングの発送可能なリソースのサブフレームセットはチャンネル状態情報参考信号の発送位置に基づいて確定し、あるいは、
ディーアクティベーションシグナリングの発送可能なリソースのサブフレームセットは前記チャンネル状態情報参考信号に対するチャンネル状態情報測定フィードバック割り当てに基づいて確定する、
請求項３に記載のダウンリンクコントロール情報発送方法。
【請求項６】
前記半持続のチャンネル状態情報の測定シグナリングとディーアクティベーションシグナリングは同じシグナリングを採用して同時に発送する、請求項３に記載のダウンリンクコントロール情報発送方法。
【請求項７】
端末は長時間効果ありのダウンリンクコントロール情報の発送リソースで複数種類の長時間効果ありのダウンリンクコントロール情報を検知し、
前記複数種類の長時間効果ありのダウンリンクコントロール情報には、少なくとも２種類の長時間効果ありのダウンリンクコントロール情報について、タイムドメインリソース間はサブセット関係がある、
ダウンリンクコントロール情報検知方法。
【請求項８】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項７に記載のダウンリンクコントロール情報検知方法。
【請求項９】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項７に記載のダウンリンクコントロール情報検知方法。
【請求項１０】
前記第１種類の長時間効果ありのダウンリンクコントロール情報、前記第２種類の長時間効果ありのダウンリンクコントロール情報及び前記第３種類の長時間効果ありのダウンリンクコントロール情報の関係は、
前記第３種類の長時間効果ありのダウンリンクコントロール情報の使用可能な発送リソースのタイムスロットリソースセットは前記第２種類の長時間効果ありのダウンリンクコントロール情報の使用可能な発送リソースのタイムスロットリソースセットのサブセットであること、
前記第２種類の長時間効果ありのダウンリンクコントロール情報の使用可能な発送リソースのタイムスロットリソースセットは前記第１種類の長時間効果ありのダウンリンクコントロール情報の使用可能な発送リソースのタイムスロットリソースセットのサブセットであること、
の少なくとも１つを含む、
請求項９に記載のダウンリンクコントロール情報検知方法。
【請求項１１】
前記端末が長時間効果ありのダウンリンクコントロール情報の発送リソースで検知する複数種類の長時間効果ありのダウンリンクコントロール情報のフォーマットは、
短時間効果ありのダウンリンクコントロール情報を含む第１種類フォーマットと、
短時間効果ありのダウンリンクコントロール情報と長時間効果ありのダウンリンクコントロール情報を含む第２種類フォーマットとを含む、
請求項７に記載のダウンリンクコントロール情報検知方法。
【請求項１２】
同時に発送する前記複数種類の長時間効果ありのダウンリンクコントロール情報について、前記端末はアップリンクシグナリングで前記複数種類の長時間効果ありのダウンリンクコントロール情報に対して合わせて応答する、
請求項１１に記載のダウンリンクコントロール情報検知方法。
【請求項１３】
複数種類の長時間効果ありのダウンリンクコントロール情報の使用可能な発送リソースを割り当て、前記複数種類の長時間効果ありのダウンリンクコントロール情報には、少なくとも２種類の長時間効果ありのダウンリンクコントロール情報について、使用可能な発送リソースのタイムドメインリソース間はサブセット関係があるように設定される割り当てモジュールと、
前記使用可能な発送リソースで前記複数種類の長時間効果ありのダウンリンクコントロール情報を発送するように設定される発送モジュールとを備える、
ダウンリンクコントロール情報発送装置。
【請求項１４】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項１３に記載のダウンリンクコントロール情報発送装置。
【請求項１５】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項１３に記載のダウンリンクコントロール情報発送装置。
【請求項１６】
長時間効果ありのダウンリンクコントロール情報の発送リソースで複数種類の長時間効果ありのダウンリンクコントロール情報を検知し、前記複数種類の長時間効果ありのダウンリンクコントロール情報には、少なくとも２種類の長時間効果ありのダウンリンクコントロール情報について、タイムドメインリソース間はサブセット関係があるように設定される検知モジュールを備える、ダウンリンクコントロール情報検知装置。
【請求項１７】
前記サブセット関係は、
前記少なくとも２種類の長時間効果ありのダウンリンクコントロール情報について、使用可能な発送リソースのタイムドメインリソースの周期は同じであること、
前記少なくとも２種類の長時間効果ありのダウンリンクコントロール情報について、使用可能な発送リソースのタイムドメインリソースの周期は整数倍の関係があること、
前記少なくとも２種類の長時間効果ありのダウンリンクコントロール情報について、使用可能な発送リソースのタイムドメインリソースの位置は同じオフセットがあること、
の少なくとも１つである、
請求項１６に記載のダウンリンクコントロール情報検知装置。
【請求項１８】
前記複数種類の長時間効果ありのダウンリンクコントロール情報は、以下の第１種類〜第３種類のうちの少なくとも２種類の長時間効果ありのダウンリンクコントロール情報であり、
第１種類の長時間効果ありのダウンリンクコントロール情報はビーム又は準コーロケション関係の指示シグナリングであり、
第２種類の長時間効果ありのダウンリンクコントロール情報は半持続のパイロット信号測定の発送アクティベーションシグナリング又はディーアクティベーションシグナリングであり、
第３種類の長時間効果ありのダウンリンクコントロール情報は半持続のチャンネル状態情報のレポートアクティベーションシグナリング又はディーアクティベーションシグナリングである、
請求項１６に記載のダウンリンクコントロール情報検知装置。
【請求項１９】
前記端末が長時間効果ありのダウンリンクコントロール情報の発送リソースで検知する複数種類の長時間効果ありのダウンリンクコントロール情報のフォーマットは、
短時間効果ありのダウンリンクコントロール情報を含む第１種類フォーマットと、
短時間効果ありのダウンリンクコントロール情報と長時間効果ありのダウンリンクコントロール情報を含む第２種類フォーマットとを含む、
請求項１６に記載のダウンリンクコントロール情報検知装置。
【請求項２０】
検知する複数種類の長時間効果ありのダウンリンクコントロール情報を同時に発送する場合、端末はアップリンクシグナリングで前記複数種類の長時間効果ありのダウンリンクコントロール情報に対して合わせて応答するように設定される応答モジュールを備える、
請求項１９に記載のダウンリンクコントロール情報検知装置。
【国際調査報告】
2020535766.tif 000010
2020535766.tif 000011
2020535766.tif 000012
2020535766.tif 000013